(57)【要約】【課題】テーピングの専門知識を有しない人であっても迅速かつ容易に足首関節等を固定することができ、テープの貼り太りによって靴が履けない等の不都合も生じない足首部用粘着部材及びその使用方法を提供すること。【解決手段】テーピング方法は、本発明の足首部用粘着部材を用い、例えばその剥離ライナーに表示された順番に従って、底部の凹形状辺に踵の端を合わせて乗せ、一方の第一先端部を持って第一テープ部を伸張させながら足首部の外側踝を覆うように、踵から膝関節方向へ向けて貼着した後、他方の第一テープ部を真上に引張って伸張させながら貼着し、次いで、一方の第二先端部を持って第二テープ部を伸張させながら、足首部の後ろを通って内側踝の上を覆うように貼着した後、他方の第二先端部を持って第二テープ部を伸張させながら、足首部の後ろを通って外側踝の上を覆うように貼着することによって、足首部をテーピングする。【選択図】        図１
2005000496.tif 000002
【特許請求の範囲】
【請求項１】
底部、左側のテープ状体、及び、右側のテープ状体からなるＨ字型粘着部材であって、底部の一方の縁は凹形状辺を成し、左側のテープ状体及び右側のテープ状体はそれぞれテープ状体の長手方向にテープ状体の端辺から切れ目が施されて第一テープ体と第二テープ体を構成しており、前記第一テープ体の幅と、凹形状辺側に位置する前記第二テープ体の幅の割合は、それぞれ独立に、５：５〜５：３であり、かつ、粘着層を覆っている剥離ライナーには複数箇所背割りが施されていることを特徴とする足首部用粘着部材。
【請求項２】
前記第一テープ体の先端及び前記第二テープ体の先端は舌状に形成されていることを特徴とする請求項１記載の足首部用粘着部材。
【請求項３】
前記Ｈ字型粘着部材の長さが３００ｍｍ〜６００ｍｍであり、前記左側のテープ状体の幅及び右側のテープ状体の幅がそれぞれ独立に５０ｍｍ〜１５０ｍｍであることを特徴とする請求項１又は２記載の足首部用粘着部材。
【請求項４】
短辺と長辺とからなる矩形状で角部が曲線状の粘着部材であり、粘着層を覆っている剥離ライナーには２箇所背割りが施されている補助用粘着部材を、独立部材として更に有することを特徴とする請求項１から３のいずれか１項記載の足首部用粘着部材。
【請求項５】
前記補助用粘着部材において、短辺が５０ｍｍ〜１００ｍｍであり、長辺が１００ｍｍ〜３５０ｍｍであることを特徴とする請求項４記載の足首部用粘着部材。
【請求項６】
前記Ｈ字型粘着部材の粘着層を覆い、かつ、背割りによって区画された各剥離ライナー、及び／又は、前記補助用粘着部材の粘着層を覆い、かつ、背割りによって区画された各剥離ライナーには、文字又は画像が表示されていることを特徴とする請求項１から５のいずれか１項記載の足首部用粘着部材。
【請求項７】
前記背割りによって区画された剥離ライナーに付された文字又は画像から、順番を認識することができることを特徴とする請求項６記載の足首部用粘着部材。
【請求項８】
前記第一テープ体は、第一テープ部及び第一先端部からなり、前記第二テープ体は、第二テープ部及び第二先端部からなり、前記底部、右側及び左側の、第一テープ部、第一先端部、右側及び左側の、第二テープ部、第二先端部、の各部の境界部分に前記背割りが施されていることを特徴とする請求項１から７のいずれか１項記載の足首部関節用粘着部材。
【請求項９】
足首部関節用粘着部材を構成する基材が、伸縮性編布からなることを特徴とする請求項１から８のいずれか１項記載の足首部用粘着部材。
【請求項１０】
足首部関節用粘着部材を構成する粘着層が、アクリル系粘着剤又はゲル系粘着剤から形成されていることを特徴とする請求項１から９のいずれか１項記載の足首部用粘着部材。
【請求項１１】
底部の剥離ライナーを除去した後、底部の凹形状辺に踵の端を合わせて乗せ、足首部の外側に貼着すべき第一テープ部の剥離ライナーを除去し、第一先端部を持って第一テープ部を伸張させながら足首部の外側踝を覆うように、踵から膝関節方向へ向けて貼着した後、第一先端部の剥離ライナーを除去して貼着し、続いて、足首部の内側に貼着すべき第一テープ部の剥離ライナーを除去した後、第一テープ部を真上に引張って伸張させながら貼着し、第一先端部の剥離ライナーを除去してから貼着し、次いで、足首部の外側に位置する第二テープ部の剥離ライナーを除去してから、第二先端部を持って第二テープ部を伸張させながら、足首部の後ろを通って内側踝の上を覆うように貼着した後、第二先端部の剥離ライナーを除去して貼着し、その後、足首部の内側に位置する第二テープ部の剥離ライナーを除去してから、第二先端部を持って第二テープ部を伸張させながら、足首部の後ろを通って外側踝の上を覆うように貼着した後、第二先端部の剥離ライナーを除去して貼着することによって、足首関節をテーピングすることを特徴とするテーピング方法。
【請求項１２】
更に、補助用粘着部材の一方の端部を足首部の外側踝を覆うように第二テープ部の上に重ねて貼着し、次いで、他方の端部を足首部の内側踝を覆うように、他方の第二テープ部の上に重ねて貼着することを特徴とする請求項１１記載のテーピング方法。
【発明の詳細な説明】
【０００１】
【発明の属する技術分野】
本発明は、足首部用粘着部材及びその使用方法に関する。詳しくは、医療、スポーツや整体等の分野において、足首関節等を固定等するために用いられる足首部用粘着部材及びその使用方法に関する。
【０００２】
【従来の技術】
足首は全身を支えて体重がかかる部位であり、また、スポーツや日常生活等の動作において捻挫等が発生しやすい部位である。足首は歩行動作に深く関与しているため、足首に痛みが生じると日常の動作が困難になる。そのため、足首に生じる痛みを軽減する対策が強く求められており、例えば、足首関節等を固定する処置がとられる。
専門知識を要せずに足首関節等を固定するための方法として、足首にサポータを装着する方法があるが（例えば、特許文献１参照）、このサポータは極厚に形成された脛当てパッド等を有していて装着太りするので、装着した状態で靴等を履くことはできず、日常動作に不都合があった。また、足首に巻き締めるアンカーストラップと、８の字状に足の甲及び足底を巻き締めるフィギュアエイトストラップと、内果から足底を回り外果を通って巻き締めるスターアップストラップとを備えた、伸縮性のテープ状体からなる足関節サポータがあるが（例えば、特許文献２参照）、装着した後、時間の経過につれて緩みが生じ、十分な足首関節等の固定ができなかった。
足首の痛みを軽減させるために粘着テープを用いて足首関節を固定等すること（テーピング）は、スポーツや医療の分野において従来から行われている処置方法である。適切なテーピングが施されれば、足首を十分に固定して痛みを軽減することができ、かつ、足首等の運動能力を低下させることもないが、適切なテーピングを行うためには専門の知識が必要とされるため手軽に行うことができない、という欠点があった。また、支持、固定力を強化するために、粘着テープを足首に回旋状に重ねて巻きつけるテーピングが行われると、締め付け過ぎによる局部の循環障害や神経障害が生じやすい、という問題があった。
【０００３】
【特許文献１】
特開平１０−２４０５５号公報
【特許文献２】
特開平１０−２４８８６５号公報
【０００４】
【発明が解決しようとする課題】
そこで、上記問題に鑑み、本発明は、テーピングの専門知識を有しない人であっても迅速かつ簡易に足首を固定することができ、かつ、固定用部材等の装着やテープの貼り太りによって靴が履けない等の不都合も生じない足首部用粘着部材を提供することを目的とする。また、この足首部用粘着部材を用いて足首関節等を固定する方法を提供することを目的とする。
【０００５】
【課題を解決するための手段】
本発明の第一の実施形態に係る足首部用粘着部材は、底部、左側のテープ状体、及び、右側のテープ状体からなるＨ字型粘着部材であって、底部の一方の縁は凹形状辺を成し、左側のテープ状体及び右側のテープ状体はそれぞれテープ状体の長手方向にテープ状体の端辺から切れ目が施されて第一テープ体と第二テープ体を構成しており、前記第一テープ体の幅と、凹形状辺側に位置する前記第二テープ体の幅の割合は、それぞれ独立に、５：５〜５：３であり、かつ、粘着層を覆っている剥離ライナーには複数箇所背割りが施されていることを特徴とする。ここで、前記第一テープ体の先端及び前記第二テープ体の先端は舌状に形成されていることができる。
また、上記Ｈ字型粘着部材の長さは３００ｍｍ〜６００ｍｍであり、前記左側のテープ状体の幅及び右側のテープ状体の幅がそれぞれ独立に５０ｍｍ〜１５０ｍｍであることができる。
また、前記第一テープ体は、第一テープ部及び第一先端部からなり、前記第二テープ体前記数字又は文字は、第二テープ部及び第二先端部からなり、前記底部、右側及び左側の、第一テープ部、第一先端部、右側及び左側の、第二テープ部、第二先端部、の各部の境界部分に前記背割りが施されていることができる。
【０００６】
本発明の第二の実施形態に係る足首部用粘着部材は、上記Ｈ字型粘着部材の他に、短辺と長辺とからなる矩形状で角部が曲線状の粘着部材であり、粘着層を覆っている剥離ライナーには２箇所背割りが施されている補助用粘着部材を、独立部材として更に有することを特徴とする。
ここで、前記補助用粘着部材において、短辺が５０ｍｍ〜１００ｍｍであり、長辺が１００ｍｍ〜３５０ｍｍであることができる。
【０００７】
本発明の第一の実施形態に係る足首部用粘着部材及び第二の実施形態に係る足首部用粘着部材において、前記Ｈ字型粘着部材の粘着層を覆い、かつ、背割りによって区画された各剥離ライナー、及び／又は、前記補助用粘着部材の粘着層を覆い、かつ、背割りによって区画された各剥離ライナーには、文字又は画像が表示されていることができる。
ここで、前記背割りによって区画された剥離ライナーに付された文字又は画像から、順番を認識することができることが好ましい。
また、足首部関節用粘着部材を構成する基材は、伸縮性編布からなることができる。
また、足首部関節用粘着部材を構成する粘着層は、アクリル系粘着剤又はゲル系粘着剤から形成されていることができる。
【０００８】
本発明の第一の実施形態に係るテーピング方法は、本発明の第一の実施形態に係る足首部用粘着部材を用い、底部の剥離ライナーを除去した後、底部の凹形状辺に踵の端を合わせて乗せ、足首部の外側に貼着すべき第一テープ部の剥離ライナーを除去し、第一先端部を持って第一テープ部を伸張させながら足首部の外側踝を覆うように、踵から膝関節方向へ向けて貼着した後、第一先端部の剥離ライナーを除去して貼着し、続いて、足首部の内側に貼着すべき第一テープ部の剥離ライナーを除去した後、第一テープ部を真上に引張って伸張させながら貼着し、第一先端部の剥離ライナーを除去してから貼着し、次いで、足首部の外側に位置する第二テープ部の剥離ライナーを除去してから、第二先端部を持って第二テープ部を伸張させながら、足首部の後ろを通って内側踝の上を覆うように貼着した後、第二先端部の剥離ライナーを除去して貼着し、その後、足首部の内側に位置する第二テープ部の剥離ライナーを除去してから、第二先端部を持って第二テープ部を伸張させながら、足首部の後ろを通って外側踝の上を覆うように貼着した後、第二先端部の剥離ライナーを除去して貼着することによって、足首関節をテーピングすることを特徴とする。
【０００９】
本発明の第二の実施形態に係るテーピング方法は、本発明の第二の実施形態に係る足首部用粘着部材を用い、上記第一の実施形態に係るテーピング方法を行った後、更に、補助用粘着部材の一方の端部を足首部の外側踝を覆うように第二テープ部の上に重ねて貼着し、次いで、他方の端部を足首部の内側踝を覆うように、他方の第二テープ部の上に重ねて貼着することを特徴とする。
【００１０】
【発明の実施の形態】
以下、本発明の実施形態について、図面を参照しながら詳細に説明する。なお、同一の構成要素には同一の参照番号を付して、説明を省略する。
図１は、本発明の第１の実施形態に係る足首部用粘着部材を示す図であり、図１の（ａ）は平面図であり、図１の（ｂ）は正面図である。ここではＨ字型粘着部材のみからなる足首部用粘着部材について説明する。
【００１１】
図１の（ａ）において、Ｈ字型粘着部材Ａは、外形がほぼ矩形状であり、ほぼ中央に足の踵底面に貼着するための底部１を有し、その左側と右側には、それぞれ足首側面及び足首背面に貼着するためのテープ状体１７、１７’を有する。右側及び左側それぞれのテープ状体には、矩形状短辺側から底部１まで達する切込み６、６’が形成されており、右側の第一テープ体と第二テープ体、及び、左側の第一テープ体と第二テープ体に切断されている。また、第一テープ体及び第二テープ体の先端は舌状に形成されている。すなわち、右側の第一テープ体は、第一テープ部２と第一先端部３、右側の第二テープ体は、第二テープ部４と第二先端部５を有し、左側の第一テープ体は、第一テープ部２’と第一先端部３’、第二テープ体は、第二テープ部４’と第二先端部５’を有する。本発明において、舌状とは矩形状の角部が切断されたような形状を意味し、例えば、曲線に類するような多角形状、半円形状、楕円形状、Ｒ字状曲線等も含むものとする。先端部が角を有する矩形状であると、既に貼着されている粘着部材の上（自背面を含む）に重ね貼りをした際に剥がれやすくなるが、先端部を舌状に形成することによって、重ね貼りしても剥がれにくくなる。切込み６、６’の位置は、例えば、第一テープ部２の幅（Ｗ１１）と第二テープ部４の幅（Ｗ１２）の割合が、Ｗ１１：Ｗ１２＝５：５〜５：３の範囲内であることが好ましい。また、左側の切込み６’の位置と右側の切込み６の位置は同一でも異なっていてもよいが、それぞれが上記範囲内であることが好ましい。
底部１は、一方の端辺、ここでは第二テープ側の端辺が凹形状辺７を形成している。凹形状辺７の形状は、足の踵の端を底部１から少々はみ出させることができるような形状であることが好ましい。
【００１２】
本発明の足首部用粘着部材の層構成については後述するが、使用時まで粘着層へ埃等が付着することを防ぎ、粘着層を保護するために、粘着層の上には剥離ライナーが積層されている。この剥離ライナーには数箇所背割りが施されている。例えば、底部１と、右側の第一テープ部２及び第二テープ部４との境界部分８、及び、同様に左側の境界部分８’に背割りが施され、右側の第一テープ部２と第一先端部３との境界部分１０、同様に左側の第一テープ部２’と第一先端部３’との境界部分９、及び、右側の第二テープ部４と第二先端部５との境界部分１２、同様に左側の第二テープ部４’と第二先端部５’との境界部分１１に背割りが施されている。図１に示すＨ字型粘着部材では、背割りされた各パーツの剥離ライナーに数字（▲１▼、▲２▼等）が印刷等されている。これは数字に限定されるものではないが、例えば、テーピングを容易にするために、テーピング順序を示すような文字（数字を含む）、挿絵等の画像が何らかの方法で示されていることが好ましい。
【００１３】
図１に示すほぼ矩形状のＨ字型粘着部材は、矩形状の短辺の長さ（Ｗ１０）が５０ｍｍ〜１５０ｍｍであり、長辺の長さ（Ｌ１０）が３００ｍｍ〜６００ｍｍであることが好ましく、かかる範囲内で、体型、足型等を考慮して適宜設計されることが好ましい。また、切込み６、６’の長さは１５０ｍｍ〜２５０ｍｍであることが好ましく、この長さ及び底部の大きさや形状等も、体型、足型等を考慮して適宜設計されることが好ましい。
【００１４】
図１の（ｂ）に足首部用粘着部材Ａの層構成を例示する。図１の（ｂ）において、足首部用粘着部材Ａは、基材１４と粘着層１５と剥離ライナー１６とからなる。剥離ライナー１６は無くても良いが、使用時まで粘着層１５を汚染から防ぎ、粘着力を保護するためには、粘着層１５の上に剥離ライナー１６を積層することが好ましい。
図１の（ｂ）において、剥離ライナー１６には各パーツの境界部分（８、８’、１１、１２）に背割りが施されており、各パーツを覆う剥離ライナーの各々には、数字（▲１▼、▲２▼等）が印刷された印刷部１３が形成されている。
この剥離ライナーは、一般的に皮膚へ貼付する粘着テープ等に用いられるものを使用することができる。具体的には、上質紙、グラシン紙、パーチメント紙等の表面に、シリコーン等の剥離性能を有する剥離剤をコーティングしたものや、上質紙にレジンをアンカーコートしたもの又はポリエチレンをラミネートしたもの等の表面にシリコーン等の剥離性能を有する剥離剤をコーティングしたもの等を使用することができる。
【００１５】
本発明の足首部用粘着部材は適度なキックバック性を有することが好ましい。したがって、本発明の足首部用粘着部材を構成する基材は、２０％伸張時における引張応力が１０Ｎ／１９ｍｍ幅以下であることが好ましく、足首関節等の固定性の観点から９Ｎ／１９ｍｍ幅以下であることが更に好ましい。また、基材は、８０％伸張時におけるヒステリシスが８５％以上であることが好ましく、８０％伸張時における引張応力が１５Ｎ／１９ｍｍ幅以上であることが好ましい。足首関節等の負担をより軽減するためには、８０％伸張時におけるヒステリシスが８８％以上であることがより好ましく、８０％伸張時における引張応力が１６Ｎ／１９ｍｍ幅以上であることがより好ましい。このような特性を有する基材を含む足首用粘着部材は、足首関節等への追従性と固定性を実現することができる。
ここで、８０％伸張時のヒステリシスとは、足首部用粘着部材を最大伸びの８０％まで伸ばした時の復元性を示す指標である。また、２０％伸張時における引張応力とは、所定形状の試料片を、所定速度で２０％伸張するまで引っ張った時の引張強度をいい、８０％伸張時における引張応力とは、所定形状の試料片を、所定速度で８０％伸張するまで引っ張った時の引張強度をいう。
【００１６】
基材１４は、足首関節等を固定できるような適度な伸張度を有することが好ましく、例えば、ナイロン、ポリエステル、ポリウレタン、レーヨン、ポリプロピレン、ポリエチレン、綿等からなる不織布、織布、強撚布、縦糸に伸縮糸を用いたタテ伸び布、縦糸および横糸に伸縮糸を用いた伸縮布等が挙げられる。本発明においては、上記特性を考慮すると、伸縮性を有する編布（以下、「伸縮性編布」という）を用いることが好ましく、例えば、ナイロン、ポリエステル等の繊維に特殊加工を施すことにより伸縮性を持たせたストレッチヤーンやポリウレタン系弾性糸等のように伸縮性の大きい合繊糸を単独で編成した編み物地、若しくは、このような合繊糸とポリエステル繊維や綿等のように伸縮性の小さい繊維とを混合して編成した編布、スパンボンド不織布に、ポリウレタン等の伸縮糸を編み込んだ編み物地等を用いることができる。なお、編成方法としては、トリコット編、ラッシェル編、ミラニーズ編を含む経（タテ）メリヤス及び、平型編、円形編を含む緯（ヨコ）メリヤスのいずれを用いても良い。このうち、タテメリヤスは、裁断してもほつれが生じないので、より好ましい。また、合繊糸の太さは、４０〜１６０デニール程度であることが好ましい。
【００１７】
基材１４の厚さは、基材の材料特性等によって適宜決定されることが好ましいが、皮膚への追従性を考慮すると０．２〜１．０ｍｍが好ましく、さらに好ましくは０．３〜０．８ｍｍである。
【００１８】
基材１４は、その外表面（図１（ｂ）においては、基材１４の下面）にポリウレタン層が設けられていてもよい。基材１４の外表面をポリウレタン層で被覆することにより、透湿性及び防水性を付与することができる。
ポリウレタン層は、エーテル系ウレタン、エステル系ウレタン等の公知のウレタンから形成される。本発明においては、ポリウレタン層としてポリウレタンフィルムを用いることができる。ポリウレタン層１４の厚さは、５μｍ以上、３０μｍ未満であることが好ましい。ポリウレタン層の厚さが５μｍ以上であれば、例えば伸縮性編布等の基材表面の凹凸を十分にコートすることができるのでピンホールが生じることがなく、ポリウレタン層の厚さが３０μｍ未満であれば、十分な透湿性を保持することができる。
例えば表面に凹凸がある基材の自背面に重ねて貼着すると、重ねて貼着した粘着部材の端がめくれることがあるが、凹凸面をポリウレタン層で被覆することにより、自背面への接着性を向上させることができる。また、防水性に乏しい基材では、雨天時に使用して水濡したりすると貼着した部分が剥がれることがあるが、ポリウレタン層を設けることによって防水性を付与することができる。さらにまた、ポリウレタン層の厚さを調節することにより、キックバック性の程度を調節することができる。
【００１９】
粘着層１５は、貼着した皮膚に追従できる程度の柔軟性や粘弾性を有し、皮膚に対して刺激の少ない粘着剤を用いて形成することが好ましく、一般的なテーピング用粘着テープの分野等で周知、あるいは実用されている種々の粘着剤を使用することができる。具体的には、アクリル系粘着剤、ゴム系粘着剤、合成ゴム系粘着剤、ビニルエーテル系粘着剤、シリコーン系粘着剤、ゲル系粘着剤を用いることができるが、皮膚刺激性等を考慮すると、アクリル系粘着剤もしくはゲル系粘着剤を用いることが好ましい。例えば、油性ゲル粘着剤は、接着力は比較的低いが、皮膚との密着性に優れ、テーピング等の用途には充分であり、剥離する際には皮膚表面の角質を傷つけることがないため、好適に使用することができる。なお、ゲル系粘着剤については、公表特許公報２０００−５１３２８７号を参照されたい。
【００２０】
粘着層１５は、基材１４の片面全面に設けてもよいが、部分的に設けてもよい。基材１４の基材面上に部分的に設ける場合には、粘着層をドット状または条状に形成することができ、粘着層が形成されていない領域が通気路としても機能するので、通気性や透湿性を向上させることができ、発汗によるムレやカブレ等を予防することができる。条状の形状としては、直線状、波状等が挙げられる。一般的には条間空間の断面積の経時的な変化が少ない波状とすることが好ましいが、使用する粘着剤の特性等によって適宜決定することが好ましい。また、粘着層を基材面上に部分的に設ける場合には、条間に通気路として機能する空間が確保されるように、ドットの大きさや配置、条間空間の大きさ等を適宜設計することが好ましい。
所望の領域に粘着剤を塗布する場合には、剥離ライナー上に、例えば、櫛形状の型を用いて塗工中にその櫛を固定したり、振幅移動させたりして、所望のスジ状又はウエイブ状等の形状を有する粘着層を剥離ライナー上に形成し、これを基材１４の面上に転写すればよい。
【００２１】
粘着層１５の厚さは、使用される粘着剤の種類、特性等によって適宜決定されることが好ましいが、例えば、２０〜１２０μｍであることが好ましく、４０〜１００μｍであることが更に好ましい。
【００２２】
足首部用粘着部材には、本発明の効果を阻害しない範囲内であれば、必要に応じて穿孔を施してもかまわない。
【００２３】
次に、Ｈ字型の粘着部材の他に更に補助用粘着部材を独立部材として有する足首部用粘着部材について説明する。図２に本発明の第２の実施形態に係る足首部用粘着部材を示す。
ここで、図２の（ａ）は、図１の（ａ）に示したＨ字型粘着部材Ａと同一である。図２の（ｂ）に示す補助用粘着部材Ｂは、テープ部２１と、その両端部に右端部２２と左端部２２’とを有する構成である。右端部２２及び左端部２２’は舌状に形成されており、角が落とされた形状である。端部を舌状に形成することにより、粘着部材の上に重ね貼りしても剥がれにくくなる。このように、補助用粘着部材Ｂは、ほぼ矩形状の外形を有し、角部がＲ字状の曲線で構成されている。この矩形状の短辺の長さ（Ｗ２０）は５０ｍｍ〜１００ｍｍであり、長辺の長さ（Ｌ２０）は１００ｍｍ〜３５０ｍｍであることが好ましい。ただし、体型、足型等を考慮して、上記範囲内で適宜設計されることが好ましい。
図２の（ｂ）に示す補助用粘着部材の層構成は、図２の（ａ）の層構成と同一であり、すなわち、図１の（ｂ）の層構成と同一で、基材の上に粘着層を有し、粘着層の上には剥離ライナーが積層されている。粘着層を覆っている剥離ライナーは、テープ部２１と右端部２２の境界部２４、及び、テープ部２１と左端部２２’の境界部２４’に背割りが施されている。また、図１（ａ）と同様に、背割りされた剥離ライナーには、各パーツ毎に数字（▲６▼、▲７▼等）が印刷等されている。補助用粘着部材の剥離ライナーに印刷等される数字は、図２（ａ）からの連続番号等であってもよい。
【００２４】
本発明の足首部用粘着部材を用いてテーピングを行う方法の一例として、図２に示すＨ字型粘着部材Ａと補助用粘着部材Ｂとを有する足首部用粘着部材を、足首部に適用した例を以下に説明する。本発明においてテーピングとは、粘着テープ等を用いて関節部、筋肉、腱等の施部を固定することであり、この施部を支持、補正、補強等することにより、痛みを軽減したり、治療を促進したりする効果がある。
【００２５】
図３〜図６は、本発明の第２の実施形態に係る足首部用粘着部材を用いて足首関節等を固定する方法を説明する図であり、図３〜図５はＨ字型粘着部材Ｂを貼着する方法（以下、「方法Ａ」と称すこともある）を示し、図６は補助用粘着部材Ｂをさらに貼着する方法（以下、「方法Ｂ」と称すこともある）を示す。したがって、図１に示すＨ字型粘着部材のみからなる足首部用粘着部材を用いてテーピングを行う場合には、以下に示す使用方法において、補助用粘着部材Ｂを適用する前までの前半の使用方法（方法Ａ）をそのまま適用することができる。
図３の（ａ）において、Ｈ字型粘着部材Ａを、例えば足乗せ台等のように貼着作業が行い易い台の上に、剥離ライナーが上に向くように置く。底部１の剥離ライナー（表示▲１▼）を除去した後、底部１の凹形状辺７に踵の後ろがわずかに出るように、踵底面を底部の粘着層の上に乗せて貼着する（図３の（ｂ）参照）。足首部の外側に貼着すべき第一テープ部２の剥離ライナー（表示▲２▼）を除去し、第一先端部３を手で持って第一テープ部を伸張させながら足首関節の外側踝を覆うように、踵から膝関節方向へ向けて貼着した後、第一先端部３の剥離ライナー（表示▲３▼）を除去してから貼着する（図３の（ｃ）参照）。続いて、図４の（ａ）に示すように、足首部の内側に貼着すべき第一テープ部２’の剥離ライナー（表示▲２▼’）を除去した後、内側の踝を覆うように第一テープ部２’を真上方向に引張って伸張させながら貼着し、第一先端部３’の剥離ライナー（表示▲３▼’）を除去してから先端部を貼着する。これが、いわゆる「スターアップ」に相当するものであり、距骨、踵骨の内反を抑制、制限することができる。次に、図４の（ｂ）及び（ｃ）に示すように、足首部の外側に位置する第二テープ部４の剥離ライナー（表示▲４▼）を除去してから、第二先端部５を持って第二テープ部を伸張させながら、足首関節の後ろを通って内側の踝の上を覆うように貼着した後、第二先端部５の剥離ライナー（表示▲５▼）を除去して先端部を貼着する。その後、図５の（ａ）及び（ｂ）に示すように、足首関節の内側に位置する第二テープ部４’の剥離ライナー（表示▲４▼’）を除去してから、第二先端部５’を持って第二テープ部を伸張させながら、足首関節の後ろを通って外側の踝の上を覆うように貼着した後、第二先端部５’の剥離ライナー（表示▲５▼’）を除去して端部を貼着する。これが、いわゆる「ヒールロック」に相当するものであり、スターアップのテーピング機能と共に、足関節の内かえしを抑制、制限し、距骨が前方へ移動することを抑制、制限することができる。このように、Ｈ字型粘着部材Ａを足首部に貼着する方法を便宜上、「方法Ａ」と称すことにする。
【００２６】
続いて、補助用粘着部材Ｂの片方の端部２２の剥離ライナー（表示▲７▼）を除去して、足の甲から外側踝を覆うようにＨ字型粘着部材Ａの上に重ねて貼着する。その後、テープ部６の剥離ライナー（表示▲６▼）を除去し、テープ部６を引張って伸ばしながら、足首後ろのアキレス腱を覆うようにテープ部６を貼着する。最後に、残りの端部２２’の剥離ライナー（表示▲７▼’）を除去した後、内側踝を覆い、さらに足の甲までかかるように端部２２’を貼着する（図６の（ａ）及び（ｂ）参照）。これが、いわゆる「ハーフエイト」に相当するものである。このように、Ｈ字型粘着部材Ａを貼着した後、更に補助用粘着部材Ｂも足首部に貼着する方法を便宜上、「方法Ｂ」と称すことにする。
【００２７】
本発明によれば、方法Ａによるテーピングによって、足首関節等を適切に固定することができる。さらに補助用部材を用い、重ねてテーピングすることによって、アキレス腱を保護し、足首部の固定力を強化することができ、さらには、Ｈ字型粘着部材の第一テープ部を固定する役割も果たすことができる。また、必要に応じて、底部に適度に体重をかけながらテーピングを行ってもよい。このようにすれば、運動時に足首関節等に負荷がかかった状態に近い状態でテーピングを行うことになる。
本発明の足首部用粘着部材は剥離ライナーに貼着順序を示す表示がなされているので、この順序に従って貼着すれば、テーピングの専門知識がない人でも、容易に、しかも適切な位置にテーピングすることができる。
【００２８】
【実施例】
以下に本発明の実施例を示し、さらに具体的に説明するが、本発明はこれらに限定されるものではなく、本発明の技術的思想を逸脱しない範囲内で種々の応用が可能である。
【００２９】
実施例１
２−エチルヘキシルアクリレート９０重量部、及び、アクリル酸９重量部の混合物を、不活性ガス雰囲気下で酢酸エチルによって共重合することによりアクリル系粘着剤を得た。このアクリル系粘着剤を、上質紙にポリエチレンをラミネートした面にシリコーン処理を施した剥離ライナーの処理面に、乾燥後の厚さが８０μｍとなるように塗布し、１２０℃で３分間乾燥させて粘着層を形成した。この粘着層の上に、基材として用意したポリエステル７５デニール糸をスムーズ編で伸縮するように編み込んだ、厚さ４５０μｍの伸縮性編布を重ね、貼合せることにより、基材／粘着層／剥離ライナーの層構成を有する積層体を得た。なお、伸縮性編布は、２０％伸張時における引張応力が２．５Ｎ／１９ｍｍ幅であり、８０％伸張時におけるヒステリシスが９２％、引張応力が１９Ｎ／１９ｍｍ幅であった。
得られた積層体に打ち抜き加工を施して、図２に示すような形状のＨ字型粘着部材と補助用粘着部材からなる足首部用粘着部材を得た。ただし、Ｈ字型粘着部材の外形の矩形状は、短辺の長さ（Ｗ１０）が９０ｍｍ、長辺の長さ（Ｌ１０）が４１０ｍｍ、底部の長さが７０ｍｍ、テープ部の長さが１４０ｍｍであり、Ｗ１１：Ｗ１２＝５：４であった。また、補助用粘着部材の長さ（Ｌ２０）が２５０ｍｍ、幅（Ｗ２０）が７０ｍｍであった。また、剥離ライナーには各部の境界部分に背割りが施され、貼付順番を示す連続数字のスタンプが押されてあった。得られた足首部用粘着部材を用い、上記方法Ａに従って、足首部にテーピングを行った。
【００３０】
実施例２
上質紙にポリエチレンをラミネートした面にシリコーン処理を施した剥離ライナーの処理面に、油性ゲル粘着剤を乾燥後の厚さが７０μｍとなるように塗布し、１２０℃で３分間乾燥させることにより粘着層を形成した。この粘着層の上に、実施例１と同様の基材である、ポリエステル７５デニール糸をスムーズ編で伸縮するように編み込んだ、厚さ４５０μｍの伸縮性編布を重ねて貼合せることにより、基材／粘着層／剥離ライナーの層構成を有する積層体を得た。
得られた積層体に打ち抜き加工を施して、図２に示すような形状の、Ｈ字型粘着部材と補助用粘着部材からなる足首部用粘着部材を得た。ただし、Ｈ字型粘着部材の外形の矩形状は、短辺の長さ（Ｗ１０）が９０ｍｍ、長辺の長さ（Ｌ１０）が４５０ｍｍであり、底部の長さ７０ｍｍ、テープ部の長さ１７０ｍｍであり、Ｗ−１１が５０ｍｍ、Ｗ−１２が４０ｍｍであった。Ｉ字型の補助用粘着部材の長さ（Ｌ２０）が２００ｍｍ、幅（Ｗ２０）が５０ｍｍであった。また、実施例１と同様に、剥離ライナーには背割りが施されて連続数字がスタンプされてあった。
得られた足首部用粘着部材（Ｈ字型粘着部材及び補助用粘着部材）を用い、上記方法Ｂに従って、足首部にテーピングを行った。
【００３１】
比較例１
一般にスポーツ用テーピングテープとして知られている通常のテープを用い、一般的な方法でテーピングを行った。すなわち、まず、足首を中心にアンダーラップテープを貼る。次に、非伸縮性のアンカーテープ（３８ｍｍ幅）を２本、足首より約５ｃｍ上の位置に貼着する。ただし、２本のアンカーテープは、１／３〜１／２程度ずれるようにしてあり、また、回旋して巻きつけられている。次に、スターアップテープ（３８ｍｍ幅）を、内側のアンカーテープの位置から内側踝を通って外側のアンカーテープの位置まで引き上げて貼着する。ただし、スターアップテープは、１／３〜１／２程度ずれるようにして３本貼着される。その後、アンカーテープでスターアップテープの端部を止めるために、足首より約５ｃｍ上の位置でアンカーテープを２本巻きつけて貼着する。次に、足首周辺に圧迫を加えて足首がぐらつくことを抑制するために、フィギュアエイトテープを、アキレス腱の位置を起点とし、ここから外側踝を通り足の甲にまわし、土踏まずを通って再び甲で交差させ、内側踝の上を通して起点に戻り、さらにアキレス腱を越えて外側まで半周させて貼着する。その後、ヒールロックテーピングを行う。すなわち、強撚布の伸縮テープを、足の甲を起点とし、内側踝から踵の後ろを通し、外側踝の下方を通して土踏まずへまわし、再び甲で交差させる。続いて、外側踝の上を通過させ、アキレス腱を経由して踵へまわし、内側踝の下方を通して土踏まずを斜めに通過させた後、甲へまわす。この操作を繰り返して行い、足首上方に貼着してあるアンカーテープの位置まで、連続的に上方へ巻き上げていく。
【００３２】
上記の実施例１〜２及び比較例１に示すテーピング方法で、年齢層が３０代以上のボランティア２０人の足首に粘着部材を貼付してもらい、下記基準に基づき、テーピングの操作性、及び、テーピング直後の状態を評価してもらった。また、粘着部材を貼着後、ジョッギングを１時間実施した後で、下記基準に基づき、運動後の接着持続性と固定能の評価を行った。各評価基準の該当人数を表１に示す。
【００３３】
《評価基準》
▲１▼  テーピングの操作性
非常に貼付しやすく、３分以内でテーピングを行うことができた場合…「１」
貼付し難く、テーピング時間は、３分より長く、１０分未満であった…「２」
非常に貼付しにくく、テーピングに１０分以上かかった場合        …「３」
▲２▼  テーピング直後の状態
局部の貼り太りが生じず、非常に快適であった                    …「１」
貼付後、不快感は感じないが、やや違和感があった                …「２」
貼付後、テーピングを意識させる不快感があり、苦痛であった      …「３」
非常に苦痛で不快であり、通常の靴を履くことができなかった      …「４」
▲３▼  運動後の接着持続性と固定能
貼着した粘着部材は９０％以上剥がれておらず、足首へのテーピング機能が十分に持続していた                                                …「１」
剥がれてない部分が５０％以上、９０％未満残存し、１部に緩みが生じたがテーピング機能は有していた                                      …「２」
剥がれていない部分が５０％未満であり、あるいは緩みが生じ、テーピング機能が失われていた                                                …「３」
【００３４】
【表１】
2005000496.tif 000003
【００３５】
表１から明らかなように、実施例１〜２の足首部用粘着部材を用いて、実施例１〜２の方法によってテーピングを行った場合には、テーピングの操作性、テーピング直後の状態、及び、運動後の接着持続性と固定能の全ての評価において、２０人中１７人以上が、最高レベルの評価点をつけた。すなわち、装着感及び操作性において良好であり、テーピング機能も十分であることが分かった。
一方、従来の方法によってテーピングを行った比較例１では、テーピングに時間がかかり、テーピングの装着感に不快感を訴える人が多数いることが分かった。
【００３６】
【発明の効果】
以上詳しく説明したように、本発明の足首部用粘着部材を用いれば、テーピングの専門知識を有しない人でも、例えば剥離ライナーに表示された順序に従ってテーピングを行うことにより、容易に、短時間で、適切なテーピングを行うことができる。また、このように、誰でも、手軽に簡単にテーピングを行うことができるので、くせになりやすい捻挫の再発予防に役立ち、また、大きなケガを予防することができる。
本発明の足首部用粘着部材を用いれば、足首関節等を十分に固定することができ、しかも固定能が持続するので、ウオーキング、ジョッギング、登山者、種々の運動競技者、足関節の機能回復訓練者等が便利に利用することができる。また、本発明の足首部用粘着部材を用いれば、貼り太りが生じず、日常生活にも不便を感じさせないので、通常の靴を履くことができ、運動競技者等の靴の使用も妨げない。
本発明のテーピング方法によれば、踵底面をＨ字状粘着部材の底部に乗せて、体重をかけつつテーピングを行うことができるので、運動時に足首関節等に負荷がかかった状態に近い状態でテーピングを行うことができる。そのため、有効なテーピング効果が得られやすい。
本発明のテーピング方法によれば、足首に回旋状に巻きつけないので締め付け過ぎによる局部の循環障害や神経障害が生じることもない。
【図面の簡単な説明】
【図１】
本発明の第１の実施形態に係る足首部用粘部材を示す図であり、（ａ）はその平面図、（ｂ）はその正面図である。
【図２】
本発明の第２の実施形態に係る足首部用粘着部材を示す図であり、（ａ）はＨ字型粘着部材を示す平面図であり、（ｂ）は補助用粘着部材を示す平面図である。
【図３】
本発明の足首部用粘着部材を用いてテーピングを行う方法を説明するための図である。
【図４】
本発明の足首部用粘着部材を用いてテーピングを行う方法を説明するための図である。
【図５】
本発明の足首部用粘着部材を用いてテーピングを行う方法を説明するための図である。
【図６】
本発明の足首部用粘着部材を用いてテーピングを行う方法を説明するための図である。
【符号の説明】
１  底部
２  右側の第一テープ部
２’  左側の第一テープ部
３  右側の第一先端部
３’  左側の第一先端部
４  右側の第二テープ部
４’  左側の第二テープ部
５  右側の第二先端部
５’  左側の第二先端部
６、６’  切込み
７  凹形状辺
８、８’、９、１０、１１、１２、２４  各部の境界部分
１３  印刷部
１４  基材
１５  粘着層
１６  剥離ライナー
１７  右側のテープ状体
１７’  左側のテープ状体
２１  テープ部
２２  右端部
２２’  左端部
３０  足
Ａ  Ｈ字型粘着部材
Ｂ  補助用粘着部材
【図１】
2005000496.tif 000004
【図２】
2005000496.tif 000005
【図３】
2005000496.tif 000006
【図４】
2005000496.tif 000007
【図５】
2005000496.tif 000008
【図６】
2005000496.tif 000009